(57)【要約】  本発明の実施形態のフィルムアンテナは、誘電層と、誘電層の上面上に配置され、メッシュ構造を含むアンテナパターンと、誘電層の前記上面上に配置され、前記アンテナパターンと同じメッシュ構造を含むダミーパターンとを含む。アンテナパターン及びダミーパターンの同じ構造により光学特性を向上させることができる。
2021501529.tif 000002
【特許請求の範囲】
【請求項１】
誘電層と、
前記誘電層の上面上に配置され、メッシュ構造を含むアンテナパターンと、
前記誘電層の前記上面上に配置され、前記アンテナパターンと同一のメッシュ構造を含むダミーパターンとを含む、フィルムアンテナ。
【請求項２】
前記ダミーパターンはダミーラインを含み、前記アンテナパターンは導電ラインを含み、
前記ダミーライン及び前記導電ラインは、互いに同じ幅及び高さを有する、請求項１に記載のフィルムアンテナ。
【請求項３】
前記ダミーラインは、互いに交差する方向に延長する第１のダミーライン及び第２のダミーラインを含み、
前記導電ラインは、互いに交差する方向に延長する第１の導電ライン及び第２の導電ラインを含む、請求項２に記載のフィルムアンテナ。
【請求項４】
前記第１のダミーライン及び前記第１の導電ラインは、同じ方向に延長し、前記第２のダミーライン及び前記第２の導電ラインは、同じ方向に延長する、請求項３に記載のフィルムアンテナ。
【請求項５】
前記ダミーラインと前記アンテナパターンとの間の離隔距離に対する前記ダミーラインの幅の比率は、０．５〜３である、請求項２に記載のフィルムアンテナ。
【請求項６】
前記アンテナパターンは、前記導電ラインの端部を互いに接続する枠パターンをさらに含む、請求項２に記載のフィルムアンテナ。
【請求項７】
前記アンテナパターンは、放射パターンと、パッド部と、前記放射パターン及び前記パッド部を仲介する伝送ラインとを含む、請求項１に記載のフィルムアンテナ。
【請求項８】
前記放射パターン及び前記パッド部は、いずれも前記メッシュ構造を含む、請求項７に記載のフィルムアンテナ。
【請求項９】
前記放射パターンは、前記メッシュ構造を含み、前記パッド部は中身が詰まった（solid）構造を有する、請求項７に記載のフィルムアンテナ。
【請求項１０】
前記ダミーパターンは、少なくとも一部の領域に分節部を含む、請求項１に記載のフィルムアンテナ。
【請求項１１】
誘電層と、
前記誘電層の上面上に互いに交差するように配列されてメッシュ構造を形成する第１の電極ライン及び第２の電極ラインを含む電極ラインとを含み、
前記第１の電極ライン及び前記第２の電極ラインの交差部の一部の交差部に連続して形成されたスリットによって、前記メッシュ構造を含むアンテナパターン及びダミーパターンの境界が定義される、フィルムアンテナ。
【請求項１２】
前記スリットは、前記交差部が部分的に除去された形状を有する、請求項１１に記載のフィルムアンテナ。
【請求項１３】
前記スリットは、前記交差部の残留部の間に形成される、請求項１２に記載のフィルムアンテナ。
【請求項１４】
前記残留部により、前記境界周辺の前記アンテナパターン及び前記ダミーパターンのそれぞれに含まれた前記第１の電極ライン及び前記第２の電極ラインが互いに接続される、請求項１３に記載のフィルムアンテナ。
【請求項１５】
前記残留部は、前記スリットと反対側に前記第１の電極ライン及び前記第２の電極ラインの交差角よりも緩やかな凹部を含む、請求項１３に記載のフィルムアンテナ。
【請求項１６】
前記凹部は、前記スリット側に凹な曲面を含む、請求項１５に記載のフィルムアンテナ。
【請求項１７】
前記スリットの幅は、前記電極ラインの幅よりも大きい、請求項１１に記載のフィルムアンテナ。
【請求項１８】
前記交差部の幅は、前記電極ラインの幅及び前記スリットの幅の合計よりも大きい、請求項１７に記載のフィルムアンテナ。
【請求項１９】
前記誘電層の底面上に形成されたグランド層をさらに含む、請求項１１に記載のフィルムアンテナ。
【請求項２０】
請求項１〜１９のいずれか一項に記載のフィルムアンテナを含む、ディスプレイ装置。
【発明の詳細な説明】
【技術分野】
【０００１】
本発明は、フィルムアンテナ及びそれを含むディスプレイ装置に関する。より詳細には、電極および誘電層を含むフィルムアンテナ、並びにそれを含むディスプレイ装置に関する。
【背景技術】
【０００２】
近年、情報化社会が進展するにつれて、ワイファイ（Ｗｉ−Ｆｉ）、ブルートゥース（Ｂｌｕｅｔｏｏｔｈ（登録商標））などの無線通信技術がディスプレイ装置と結合され、例えばスマートフォンの形で実現されている。この場合には、アンテナが前記ディスプレイ装置に結合され、通信機能を実行することができる。
【０００３】
最近では、移動通信技術が進化するにつれて、超高周波帯域の通信を行うためのアンテナが前記ディスプレイ装置に結合される必要がある。また、透明ディスプレイ、フレキシブルディスプレイなどの薄型、高透明、高解像度のディスプレイ装置が開発され、前記アンテナもまた、高い放射特性、信号感度を満足しながら向上した透過度を持つ必要がある。
【０００４】
アンテナの信号送受信特性を向上させるためには、低抵抗の金属を用いて電極または放射パターンを形成することが好ましいことがある。しかし、この場合、前記電極または放射パターンがディスプレイ装置のユーザに視認され、画像品質を劣化させることがある。
【０００５】
例えば、韓国公開特許第２００３−００９５５５７号は、携帯用端末に内蔵されるアンテナ構造を開示している。
【発明の概要】
【発明が解決しようとする課題】
【０００６】
本発明の課題は、向上した光学的特性を有するフィルムアンテナを提供することである。
【０００７】
本発明の課題は、向上した光学的特性を有するフィルムアンテナを含み、画像品質が向上したディスプレイ装置を提供することである。
【課題を解決するための手段】
【０００８】
１．誘電層と、前記誘電層の上面上に配置され、メッシュ構造を含むアンテナパターンと、前記誘電層の前記上面上に配置され、前記アンテナパターンと同じメッシュ構造を含むダミーパターンとを含む、フィルムアンテナ。
【０００９】
２．前記項目１において、前記ダミーパターンはダミーラインを含み、前記アンテナパターンは導電ラインを含み、前記ダミーライン及び前記導電ラインは、互いに同じ幅及び高さを有する、フィルムアンテナ。
【００１０】
３．前記項目２において、前記ダミーラインは、互いに交差する方向に延長する第１のダミーライン及び第２のダミーラインを含み、
前記導電ラインは、互いに交差する方向に延長する第１の導電ライン及び第２の導電ラインを含む、フィルムアンテナ。
【００１１】
４．前記項目３において、前記第１のダミーライン及び前記第１の導電ラインは、同じ方向に延長し、前記第２のダミーライン及び前記第２の導電ラインは、同じ方向に延長する、フィルムアンテナ。
【００１２】
５．前記項目２において、前記ダミーラインと前記アンテナパターンとの間の離隔距離に対する前記ダミーラインの幅の比率は、０．５〜３である、フィルムアンテナ。
【００１３】
６．前記項目２において、前記アンテナパターンは、前記導電ラインの端部を互いに接続する枠パターンをさらに含む、フィルムアンテナ。
【００１４】
７．前記項目１において、前記アンテナパターンは、放射パターンと、パッド部と、前記放射パターン及び前記パッド部を仲介する伝送ラインとを含む、フィルムアンテナ。
【００１５】
８．前記項目７において、前記放射パターン及び前記パッド部は、いずれも前記メッシュ構造を含む、フィルムアンテナ。
【００１６】
９．前記項目７において、前記放射パターンは、前記メッシュ構造を含み、前記パッド部は、中身が詰まった（solid）構造を有する、フィルムアンテナ。
【００１７】
１０．前記項目１において、前記ダミーパターンは、少なくとも一部の領域に分節部を含む、フィルムアンテナ。
【００１８】
１１．誘電層と、前記誘電層の上面上に互いに交差するように配列されてメッシュ構造を形成する第１の電極ライン及び第２の電極ラインを含む電極ラインとを含み、
前記第１の電極ライン及び前記第２の電極ラインの交差部の一部の交差部に連続して形成されたスリットによって、前記メッシュ構造を含むアンテナパターン及びダミーパターンの境界が定義される、フィルムアンテナ。
【００１９】
１２．前記項目１１において、前記スリットは、前記交差部が部分的に除去された形状を有する、フィルムアンテナ。
【００２０】
１３．前記項目１２において、前記スリットは、前記交差部の残留部の間に形成される、フィルムアンテナ。
【００２１】
１４．前記項目１３において、前記残留部により、前記境界周辺の前記アンテナパターン及び前記ダミーパターンのそれぞれに含まれた前記第１の電極ライン及び前記第２の電極ラインが互いに接続される、フィルムアンテナ。
【００２２】
１５．前記項目１３において、前記残留部は、前記スリットと反対側に、前記第１の電極ライン及び前記第２の電極ラインの交差角よりも緩やかな凹部を含む、フィルムアンテナ。
【００２３】
１６．前記項目１５において、前記凹部は、前記スリット側に凹な曲面を含む、フィルムアンテナ。
【００２４】
１７．前記項目１１において、前記スリットの幅は、前記電極ラインの幅よりも大きい、フィルムアンテナ。
【００２５】
１８．前記項目１７において、前記交差部の幅は、前記電極ラインの幅及び前記スリットの幅の合計よりも大きい、フィルムアンテナ。
【００２６】
１９．前記項目１１において、前記誘電層の底面上に形成されたグランド層をさらに含む、フィルムアンテナ。
【００２７】
２０．前記項目１〜１９のいずれか一つに記載のフィルムアンテナを含む、ディスプレイ装置。
【発明の効果】
【００２８】
本発明の一部の実施形態によると、フィルムアンテナは、アンテナパターン及び前記アンテナパターンの周辺に形成されたダミーパターンを含むことができる。前記アンテナパターン及び前記ダミーパターンは、それぞれ実質的に同一のメッシュ構造を含むことができる。これにより、光学的、物理的な偏差によるアンテナパターンまたは電極の視認を防止でき、前記フィルムアンテナが実装されるディスプレイ装置の画像品質が前記アンテナパターンによって劣化することを防止できる。また、前記ダミーパターンにより光学的特性を向上できるので、前記アンテナパターンは、低抵抗の金属を用いて信号の送受信特性をより増加させることができる。
【００２９】
本発明の一部の実施形態によると、フィルムアンテナは、互いに交差する第１の電極ライン及び第２の電極ラインによって形成されたメッシュ構造を含むことができる。これにより、前記フィルムアンテナの透過率を向上することができる。
【００３０】
前記メッシュ構造は、アンテナパターンとダミーパターンに区分することができる。前記アンテナパターン及び前記ダミーパターンは、前記第１の電極ライン及び前記第２の電極ラインの交差部が部分的に除去されて形成されたスリットにより区分できる。
【００３１】
前記交差部が部分的に除去されて残留部が形成され、前記残留部により前記アンテナパターン及び前記ダミーパターンに含まれた第１及び第２の電極ラインを互いに接続することができる。これにより、前記スリットによるアンテナパターンの抵抗の増加、信号損失を防止することができる。
【００３２】
前記フィルムアンテナは、向上した透過度を有し、３Ｇ以上、例えば５Ｇ高周波帯域の送受信が可能な移動通信機器を含むディスプレイ装置に適用され、放射特性および透過度のような光学特性を共に向上させることができる。
【図面の簡単な説明】
【００３３】
【図１】図１は、例示的な実施形態に係るフィルムアンテナを示す概略平面図である。
【図２】図２は、例示的な実施形態に係るフィルムアンテナを示す概略断面図である。
【図３】図３は、例示的な実施形態に係るフィルムアンテナの電極ライン構造を説明するための部分拡大図である。
【図４】図４は、一部の例示的な実施形態に係るフィルムアンテナを示す概略平面図である。
【図５】図５は、一部の例示的な実施形態に係るフィルムアンテナを示す概略断面図である。
【図６】図６は、例示的な実施形態に係るフィルムアンテナのダミーパターン構造を示す概略平面図である。
【図７】図７は、例示的な実施形態に係るフィルムアンテナのダミーパターン構造を示す概略平面図である。
【図８】図８は、例示的な実施形態に係るフィルムアンテナのダミーパターン構造を示す概略平面図である。
【図９】図９は、例示的な実施形態に係るフィルムアンテナを示す概略平面図である。
【図１０】図１０は、例示的な実施形態に係るフィルムアンテナの電極ライン構造を説明するための部分拡大図である。
【図１１】図１１は、例示的な実施形態に係るフィルムアンテナの交差部を説明するための部分拡大図である。
【図１２】図１２は、例示的な実施形態に係るフィルムアンテナのスリット形成を説明するための概略図である。
【図１３】図１３は、比較例に係るフィルムアンテナのスリット形成を説明するための概略図である。
【図１４】図１４は、例示的な実施形態に係るディスプレイ装置を説明するための概略平面図である。
【発明を実施するための形態】
【００３４】
本発明の実施形態は、誘電層上に配置され、メッシュ構造を含むアンテナパターン及びダミーパターンを含み、透過度が向上したフィルムアンテナを提供するものである。
【００３５】
前記フィルムアンテナは、例えば、透明フィルムの形で製作されるマイクロストリップパッチアンテナ（microstrip patch antenna）であってもよい。前記フィルムアンテナは、例えば、３Ｇ〜５Ｇ移動通信のための通信機器に適用できる。
【００３６】
また、本発明の実施形態は、前記フィルムアンテナを含むディスプレイ装置を提供するものである。
【００３７】
以下、図面を参照して、本発明の実施形態をより具体的に説明する。ただし、本明細書に添付される図面は、本発明の好適な実施形態を例示するものであって、発明の詳細な説明とともに本発明の技術思想をさらに理解する一助となる役割を果たすものであるため、本発明は図面に記載された事項のみに限定されて解釈されるものではない。
【００３８】
図１及び図２は、それぞれ例示的な実施形態に係るフィルムアンテナを示す概略的な平面図および断面図である。
【００３９】
図１及び図２を参照すると、フィルムアンテナは、誘電層１００上に配置されたアンテナパターン及びダミーパターン１１８を含むことができる。例示的な実施形態によると、前記アンテナパターンは、放射パターン１１２と、伝送ライン１１４と、パッド部１１６とを含むことができる。
【００４０】
誘電層１００は、所定の誘電率を有する絶縁物質を含むことができる。誘電層１００は、例えば、シリコン酸化物、シリコン窒化物、金属酸化物などの無機絶縁物質；又はエポキシ系樹脂、アクリル系樹脂、イミド系樹脂、セルロース系樹脂、ポリオレフィン系樹脂、ウレタン系樹脂、ビニルアルコール系樹脂などの有機絶縁物質を含むことができる。誘電層１００は、前記アンテナパターンが形成されるフィルムアンテナのフィルム基材として機能することができる。
【００４１】
一部の実施形態では、誘電層１００の誘電率は、約１．５〜１２の範囲に調節することができる。前記誘電率が約１２を超えると、駆動周波数が減少しすぎて、所望の高周波帯域での駆動を実現できないことがある。
【００４２】
前記アンテナパターンは、放射パターン１１２と、伝送ライン１１４と、パッド部１１６とを含むことができる。
【００４３】
放射パターン１１２は、伝送ライン１１４と一体に接続することができる。例えば、放射パターン１１２は、伝送ライン１１４と接続される突出部を中央部に含むことができる。しかし、図１に示す放射パターン１１２の形状は例示的なものであり、放射効率などを考慮して適宜変更することができる。
【００４４】
伝送ライン１１４は、例えば、前記アンテナパターンのフィーディング（feeding）ラインで提供することができる。伝送ライン１１４は、放射パターン１１２の前記突出部からパッド部１１６に延長することができる。
【００４５】
図１に示すように、パッド部１１６は、リセスを内部に含み、伝送ライン１１４は、パッド部１１６の前記リセスの内部に挿入できる。
【００４６】
前記アンテナパターンの周辺には、ダミーパターン１１８を配列することができる。ダミーパターン１１８は、誘電層１００の上面上で前記アンテナパターンと同一層または同一レベルに配置することができる。
【００４７】
例示的な実施形態によると、ダミーパターン１１８及び前記アンテナパターンは、実質的に同一形状のメッシュ構造を含むことができる。一部の実施形態では、ダミーパターン１１８及び前記アンテナパターンは、実質的に同一のメッシュ層から形成される。これにより、前記メッシュ構造に含まれた各セル（cell）の面積、導電ラインの幅及び高さを同一にすることができる。
【００４８】
図２に示すように、誘電層１００上には第１の導電層１１０が配置され、第１の導電層１１０は、前述した前記アンテナパターン及びダミーパターン１１８を包括することができる。
【００４９】
第１の導電層１１０（前記アンテナパターン及びダミーパターン１１８）は、前述したようにメッシュ構造を含む。これにより、前記フィルムアンテナの透過度を向上することができる。また、前記アンテナパターン及びダミーパターン１１８が実質的に同一のメッシュ構造を含むことにより、第１の導電層１１０の領域別のパターン形状のばらつき、反射率の差によるパターンの視認現象を防止することができる。
【００５０】
例示的な実施形態によると、前記アンテナパターンは、低抵抗の金属を含むことができる。前述したメッシュ構造を前記アンテナパターン及びダミーパターン１１８に含むことにより、向上した透過度および光学特性を確保できる。これにより、相対的に高抵抗の透明金属酸化物（例えば、ＩＴＯまたはＩＺＯ）の代わりに金属を用いて、前記アンテナパターンの信号損失を低減し、放射特性をより向上させることができる。
【００５１】
例えば、前記アンテナパターンは、それぞれ銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、又はこれらの合金を含むことができる。これらは、単独であるいは２以上を組み合わせて使用することができる。例えば、前記アンテナパターンは、低抵抗の実現のために、銀（Ａｇ）または銀合金を含むことができ、例えば、銀−パラジウム−銅（ＡＰＣ）合金を含むことができる。
【００５２】
一実施形態では、前記アンテナパターンは、前記金属及び／又は合金で構成することができる。
【００５３】
ダミーパターン１１８もまた、前記アンテナパターンと実質的に同じ金属または合金を含むことができる。
【００５４】
第１の導電層１１０の厚さは、前記アンテナパターンの低抵抗の実現および透過度の向上を考慮して調節することができる。例えば、第１の導電層１１０の厚さは、約１００〜５０００Åの範囲であってもよい。前述したように、前記アンテナパターン及びダミーパターン１１８は、実質的に同一の厚さ（又は高さ）を有することができる。
【００５５】
誘電層１００の下には、第２の導電層９０を配置することができる。例示的な実施形態では、第２の導電層９０は、前記フィルムアンテナのグランド電極で提供することができる。この場合には、第２の導電層９０及びパッド部１１６を接続するコンタクトまたは接続グランドパターンを誘電層１００内に形成することができる。
【００５６】
一部の実施形態では、第２の導電層９０は、フィルムアンテナの別の構成として含むことができる。一部の実施形態では、フィルムアンテナが搭載されるディスプレイ装置の導電性部材をグランド層で提供することもできる。
【００５７】
前記導電性部材は、例えば、ディスプレイパネルに含まれる薄膜トランジスタ（ＴＦＴ）のゲート電極、スキャンライン又はデータラインなどの各種の配線、または画素電極、共通電極などの各種の電極などを含むことができる。
【００５８】
第２の導電層９０は、金属、合金、透明金属酸化物などの導電物質を含むことができる。
【００５９】
一部の実施形態では、前記アンテナパターンは、垂直放射パターンであってもよい。一実施形態では、前記アンテナパターンは、水平放射パターンを含むこともできる。この場合、グランド層を放射パターン１１２と同じレベル（例えば、誘電層１００の上面）上に配置することができる。
【００６０】
図１では、説明を容易にするために１つのアンテナパターンのみを示しているが、誘電層１００上に複数のアンテナパターンを規則的にあるいはランダムに配列することができる。
【００６１】
図３は、例示的な実施形態に係るフィルムアンテナの電極ライン構造を説明するための部分拡大図である。例えば、図３は、図１の「Ａ」領域の一部を拡大した平面図である。
【００６２】
図３を参照すると、アンテナパターン（又は放射パターン１１２）に含まれたメッシュ構造は、導電ラインを含むことができる。前記導電ラインは、第１の導電ライン１２２及び第２の導電ライン１２４を含むことができる。
【００６３】
第１の導電ライン１２２及び第２の導電ライン１２４は、それぞれ互いに異なる方向に延長し、交差する第１の導電ライン１２２及び第２の導電ライン１２４によって、複数のセルを定義することができる。
【００６４】
一部の実施形態では、前記アンテナパターンまたは放射パターン１１２を区画する枠パターン１２０を形成することができる。放射パターン１１２に含まれた第１の導電ライン１２２及び第２の導電ライン１２４の端部が枠パターン１２０によって実質的に併合又は接続され、放射パターン１１２の抵抗及び信号損失をより低減することができる。
【００６５】
ダミーパターン１１８に含まれたメッシュ構造は、ダミーラインを含むことができる。前記ダミーラインは、互いに交差する第１のダミーライン１３２及び第２のダミーライン１３４を含むことができる。
【００６６】
例示的な実施形態によると、第１の導電ライン１２２及び第１のダミーライン１３２は、実質的に同一の方向に延長することができる。また、第１の導電ライン１２２及び第１のダミーライン１３２は、同じ幅及び高さを有することができる。
【００６７】
第２の導電ライン１２４及び第２のダミーライン１３４は、実質的に同一の方向に延長し、同じ幅及び高さを有することができる。
【００６８】
例示的な実施形態によると、第１及び第２の導電ライン１２２，１２４、並びに第１及び第２のダミーライン１３２，１３４は、実質的に同一の金属を含むことができる。
【００６９】
前述したように、アンテナパターン及びダミーパターン１１８は、実質的に同一のパターン形状および材質を含むメッシュ構造を含むことができる。これにより、透過度を向上させるとともに、パターンの視認を防止することができる。
【００７０】
枠パターン１２０は、導電ライン１２２，１２４及びダミーライン１３２，１３４とは異なる方向に延長することができる。これにより、ダミーパターン１１８への信号の流れを遮断し、アンテナパターンとダミーパターンとの間の信号／放射干渉を抑制することができる。
【００７１】
図３に示すように、前記ダミーラインの幅は、「Ｄ１」と表示され、アンテナパターンの導電ラインの幅は、「Ｄ２」と表示される。
【００７２】
ダミーライン及びアンテナパターンは、信号干渉を遮断するために互いに分離することができる。一部の実施形態では、前記導電ライン及び前記ダミーラインの交差部で分離領域Ｂを形成できる。分離領域Ｂ内における前記アンテナパターンと前記ダミーラインとの離隔距離は、「Ｄ３」と表示される。
【００７３】
一部の実施形態では、離隔距離Ｄ３は、ダミーライン１３２，１３４と前記アンテナパターンに含まれた枠パターン１２０との間の距離、又は、ダミーライン１３２，１３４と導電ライン１２２，１２４の切断距離と定義することができる。
【００７４】
離隔距離Ｄ３は、第１のダミーライン１３２又は第２のダミーライン１３４の延長方向に沿って測定された距離であってもよい。
【００７５】
例示的な実施形態によると、離隔距離Ｄ３に対するダミーラインの幅Ｄ１の比率（Ｄ１／Ｄ３）は、約０．５〜３の範囲であってもよい。また、ダミーラインの幅Ｄ１と導電ラインの幅Ｄ２は、同一であってもよい。
【００７６】
前記比率が約０．５未満であると、放射特性が低下し、前記ダミーラインとアンテナパターンとの間の離隔空間が大きくなり、パターンの視認が引き起こされることがある。前記比率が約３を超えると、ダミーライン及び導電ラインの厚さが増加しすぎて、同様にパターンの視認が引き起こされることがある。
【００７７】
枠パターン１２０が含まれる場合、離隔距離Ｄ３をより減少させることができる。これにより、ダミーパターンとアンテナパターンとの間の間隔を減らして、パターンの視認をより効率よく抑制することができる。
【００７８】
図３では、前記ダミーライン及び導電ラインがそれぞれ直線状に延長することが示されているが、波形、鋸歯状などの様々な形状に延長することができる。
【００７９】
図４及び図５は、それぞれ、一部の例示的な実施形態に係るフィルムアンテナを示す概略的な平面図および断面図である。図１及び図２と実質的に同一または相当の構造、構成については詳細な説明を省略する。
【００８０】
図４及び図５を参照すると、アンテナパターンに含まれたパッド部１１６ａは、実質的に中身が詰まった（solid）構造を有することができる。この場合には、放射パターン１１２は、メッシュ構造で形成して透過度および光学特性を確保し、パッド部１１６ａは、中身が詰まった構造で形成して信号感度および低抵抗特性を実現することができる。
【００８１】
例えば、パッド部１１６ａは、ディスプレイ装置の周辺部またはベゼル部に配置され、実質的に表示画像に影響を与えないようにすることができる。
【００８２】
一部の実施形態では、パッド部１１６ａは、放射パターン１１２とは異なるレベルまたは異なる層に配置することができる。図５に示すように、放射パターン１１２および伝送ライン１１４上に絶縁層１４０を形成し、絶縁層１４０上にパッド部１１６ａを配置することができる。
【００８３】
絶縁層１４０内には、パッド部１１６ａ及び伝送ライン１１４を電気的に接続するコンタクト１４５を形成することができる。
【００８４】
図６〜図８は、例示的な実施形態に係るフィルムアンテナのダミーパターンの構造を示す概略平面図である。
【００８５】
一部の実施形態では、ダミーパターン１１８のメッシュ構造は、アンテナパターンとの放射及び信号干渉を防止するために、少なくとも一部に分節部１３５を含むことができる。
【００８６】
図６を参照すると、例えば、ダミーパターン１１８の各セルの辺に分節部１３５を形成することができる。
【００８７】
図７及び図８を参照すると、ダミーライン１３２，１３４の交差領域（図６の「Ｃ」領域）に前記分節部を形成することができる。
【００８８】
図７に示すように、交差領域Ｃにおいて、一部のダミーライン１３２，１３４が切断されて分節部が形成されてもよい。
【００８９】
図８に示すように、交差領域Ｃにおいて、ダミーライン１３２，１３４がすべて切断されて分節部が形成されてもよい。
【００９０】
一実施形態では、前述した分節部は、ダミーパターン１１８の一部の領域に分布することができる。例えば、前記分節部は、ダミーパターン１１８のアンテナパターンに隣接する領域に分布し、ダミーパターン１１８によるアンテナパターンの放射および信号妨害を抑制することができる。
【００９１】
図９は、例示的な実施形態に係るフィルムアンテナを示す概略平面図である。図１及び図２と同一または相当の構成及び／又は材質については、同一の参照符号を付し説明を省略する。
【００９２】
図９を参照すると、前述したように、フィルムアンテナは、誘電層１００上に配置されたアンテナパターン及びダミーパターン１１８を含むことができる。前記アンテナパターンは、放射パターン１１２と、伝送ライン１１４と、パッド部１１６とを含むことができる。
【００９３】
例示的な実施形態によると、ダミーパターン１１８及び前記アンテナパターンは、実質的に同一形状のメッシュ構造を含むことができる。一部の実施形態では、ダミーパターン１１８及び前記アンテナパターンは、実質的に同一のメッシュ層から形成される。これにより、前記メッシュ構造に含まれる各セル（cell）の面積、電極ラインの幅及び高さを同一にすることができる。前記メッシュ層が部分的にパターニングまたは切断されて分節領域Ａが形成され、分節領域Ａによって、ダミーパターン及び前記アンテナパターンを物理的、電気的に互いに分離することができる。
【００９４】
一部の実施形態では、図４及び図５で説明したように、パッド部１１６は、中身が詰まった構造を有し、放射パターン１１２と異なるレベル又は異なる層に配置することもできる。
【００９５】
図１０は、例示的な実施形態に係るフィルムアンテナの電極ライン構造を説明するための部分拡大図である。例えば、図１０は、図９の分節領域Ａの周辺の電極ラインの構造を示している。
【００９６】
図１０を参照すると、誘電層１００上に複数の電極ライン５０が配列されてメッシュ構造が形成され、前記メッシュ構造が分節領域Ａによって区分され、放射パターン１１２を含むアンテナパターン及びダミーパターン１１８を定義することができる。
【００９７】
電極ライン５０は、互いに交差する斜線方向に延長する第１の電極ライン５０ａ及び第２の電極ライン５０ｂを含むことができる。例えば、図１０に示すように、第１の電極ライン５０ａ及び第２の電極ライン５０ｂは、それぞれ、第１方向及び第２方向に延長することができる。また、複数の第１の電極ライン５０ａが前記第２方向に沿って配列され、複数の第２の電極ライン５０ｂが前記第１方向に沿って配列され、メッシュ構造を形成することができる。
【００９８】
以下では、フィルムアンテナに含まれた前記アンテナパターンの長さ方向及び幅方向を、それぞれ第３方向及び第４方向と定義する。前記第１方向及び第２方向は、前記第３方向に対して所定の鋭角に傾斜した方向であってもよい。
【００９９】
分節領域Ａは、前記第３方向に沿って第１及び第２の電極ラインが会合する交差部を切断して延長することができる。分節領域Ａにより、前記メッシュ構造からダミーパターン１１８及びアンテナパターン（例えば、放射パターン１１２）を定義することができる。分節領域Ａは、図９に示すように、前記第４方向にも延長し、前記交差部を切断して前記アンテナパターンを定義することができる。
【０１００】
分節領域Ａによってダミーパターン１１８とアンテナパターンを分離することにより、別の枠パターンを形成しなくても前記アンテナパターンを定義することができる。したがって、前記枠パターンによって引き起こされる電極の視認を防止することができる。
【０１０１】
図１１は、例示的な実施形態に係るフィルムアンテナの交差部を説明するための部分拡大図である。
【０１０２】
図１１を参照すると、第１の電極ライン５０ａ及び第２の電極ライン５０ｂの交差部が部分的に除去され、スリット６０を形成することができる。前述したように、スリット６０が前記第３方向及び／又は第４方向に沿って形成されて分節領域Ａが形成され、アンテナパターンが定義できる。
【０１０３】
前記交差部におけるスリット６０で除去された部分を除いた部分は、残留部６５と定義することができる。例示的な実施形態では、スリット６０が形成された一つの交差部から２つの分離された残留部６５を生成することができる。各残留部６５によって、アンテナパターン及びダミーパターン１１８に属する第１及び第２の電極ライン５０ａ，５０ｂを互いに接続することができる。これにより、分節領域Ａが形成されても、残留部６５によって分節領域Ａの周辺の電極ライン５０ａ，５０ｂが互いに接続され、アンテナパターンの抵抗増加による信号損失を防ぐことができる。
【０１０４】
一部の実施形態では、スリット６０と反対側部の残留部６５の側面は凹部６５ａを含むことができる。例えば、凹部６５ａは、電極ライン５０ａ，５０ｂの交差角、または前記第１及び第２方向の交差角よりも緩やかな角度で形成することができる。
【０１０５】
前記交差部または交差角による電極ライン５０ａ，５０ｂのパターンの変化を凹部６５ａにより緩衝することにより、前記交差部での電極の視認をより低減することができる。また、前記交差部でのエッチング液の集中を防止し、前記交差部の過度なエッチングによる切断、損傷を防止できる。また、凹部６５ａにより、前記フィルムアンテナの下に配置されるディスプレイパネルとのモアレ現象を低減または防止できる。
【０１０６】
一実施形態では、凹部６５ａの側面は、曲面形状を有することもできる。
一部の実施形態では、第１及び第２の電極ラインのそれぞれの幅Ｗ１は、約１〜７μｍであってもよい。スリット６０の幅Ｗ２は、前記電極ラインの幅Ｗ１よりも大きくてもよい。
【０１０７】
スリット６０の幅Ｗ２が電極ラインの幅Ｗ１よりも小さい場合には、ダミーパターン１１８とアンテナパターンとの分離距離が減少して信号ノイズが増加することがある。スリット６０の幅Ｗ２が増加しすぎると、分離領域Ａの幅が増加しすぎて電極の視認が引き起こされることがある。例えば、スリット６０の幅Ｗ２は、約１．５〜３５μｍであってもよい。
【０１０８】
図１２は、例示的な実施形態に係るフィルムアンテナのスリット形成を説明するための概略図である。
【０１０９】
図１２を参照すると、第１の電極ライン５０ａ及び第２の電極ライン５０ｂの交差領域に交差部７０を形成することができる。図１１で説明したように、スリット６０は、電極ラインＷ１の幅よりも大きく形成することができる。したがって、交差部７０は、スリット６０の形成を考慮して、十分な幅を有するように形成することができる。
【０１１０】
一部の実施形態では、交差部７０の幅Ｗ３は、電極ラインの幅Ｗ１及びスリット６０の幅Ｗ２の合計よりも大きくてもよい。一部の実施形態では、スリット６０および残留部６５を考慮して、交差部７０の幅Ｗ３は、電極ラインの幅Ｗ１の約１．５〜５倍、好ましくは２〜５倍であってもよい。
【０１１１】
以後、分節領域Ａの形成のためにエッチング工程を行って交差部７０を部分的に除去することができ、所定の幅Ｗ２を有するスリット６０を形成することができる。また、スリット６０によって除去されて残る交差部７０の部分によって残留部６５が形成され、第１及び第２の電極ライン５０ａ，５０ｂを互いに接続することができる。残留部６５は、前述のように凹部６５ａを含むことができる。
【０１１２】
図１３は、比較例に係るフィルムアンテナのスリットの形成を説明するための概略図である。
【０１１３】
図１３を参照すると、電極ライン５０ａ，５０ｂが交差領域（点線の丸で表示）で幅の変化なしに元の形のまま交差する場合、分節領域を形成するためのエッチング工程時に、前記交差領域で電極ライン５０ａ，５０ｂがすべて切断または分離されることがある。
【０１１４】
この場合、切断された領域の数が増加してパターンの偏差を引き起こすことがあり、電極の視認を増加させることがある。また、アンテナパターンの境界に含まれる電極ライン５０ａ，５０ｂがすべて分離されることにより、抵抗の増加による信号損失が増加することがある。
【０１１５】
これに対して、前述の例示的な実施形態によると、交差部７０の幅を十分に大きく形成して、分節領域Ａの形成時に残留部６５および残留部６５の間のスリット６０を形成することができる。これにより、比較例で引き起こされる電極の視認及び抵抗増加の問題を抑制または低減できる。
【０１１６】
図１４は、例示的な実施形態に係るディスプレイ装置を説明するための概略平面図である。
【０１１７】
例えば、図１４は、ディスプレイ装置のウィンドウを含む外部形状を示している。
図１４を参照すると、ディスプレイ装置２００は、表示領域２１０および周辺領域２２０を含むことができる。周辺領域２２０は、例えば、表示領域２１０の両側部及び／又は両端部に配置することができる。
【０１１８】
一部の実施形態では、前述したフィルムアンテナは、ディスプレイ装置２００にパッチの形で挿入することができる。一部の実施形態では、前記フィルムアンテナのアンテナパターンが全体的にディスプレイ装置２００の表示領域２１０と重畳し得る。一部の実施形態では、前記アンテナパターンの放射パターン１１２は、表示領域２１０と重畳し、パッド部１１６，１１６ａは、周辺領域２２０に対応するように配置することができる。
【０１１９】
周辺領域２２０は、例えば、画像表示装置の遮光部又はベゼル部に相当し得る。また、周辺領域２２０には、ディスプレイ装置２００及び／又は前記フィルムアンテナのＩＣチップのような駆動回路を配置することができる。
【０１２０】
前記フィルムアンテナのパッド部１１６，１１６ａを前記駆動回路に隣接するように配置することにより、信号の送受信経路を短縮して信号損失を抑制することができる。
【０１２１】
以下、本発明の理解を助けるために好適な実験例を提示するが、この実験例は本発明を例示するものに過ぎず、添付の特許請求の範囲を制限したり、特定の例を排除するものではない。
【０１２２】
実験例：ダミーラインとアンテナパターンとの間の離隔距離による光学特性及び信号損失の測定
シクロオレフィンポリマー（Cyclo Olefin Polymer（COP））の基材上に、５０ｍｍ×５０ｍｍの面積で３μｍの幅を有する金属（ＡＰＣ）メッシュ構造を形成した。前記メッシュ構造を切断またはパターニングしてアンテナパターン及びダミーラインを区画した。前記ダミーラインと前記アンテナパターンとの間の切断された離隔距離を変化させながら、ダミーラインの幅との比率（Ｄ１／Ｄ３、図３を参照）を変化させた。
【０１２３】
Ｄ１／Ｄ３の比率を変化させて製造したフィルムアンテナのサンプルにおいて、アンテナパターンの視認有無を、１００名の専門官能試験パネラーに目視観察によって評価してもらった。観察の結果、視認されると判断したパネラーの数を数えて、その結果値を表１に示す。
【０１２４】
一方、ネットワーク・アナライザ（Network analyzer）を用いて２８ＧＨｚでＳパラメータ（S−parameter）を抽出し、各サンプルの信号損失（Return Loss）を評価した。その結果を表１に併せて示す。
【０１２５】
【表１】
2021501529.tif 000003
【０１２６】
表１を参照すると、Ｄ１／Ｄ３の比率が約０．５〜３の範囲を満足する場合（サンプル１〜６）には、アンテナパターンの視認が効果的に防止され、信号損失特性も十分実現された。Ｄ１／Ｄ３の比率が０．５未満に減少した場合には、アンテナパターンの視認が急激に増加した。
【図１】
2021501529.tif 000004
【図２】
2021501529.tif 000005
【図３】
2021501529.tif 000006
【図４】
2021501529.tif 000007
【図５】
2021501529.tif 000008
【図６】
2021501529.tif 000009
【図７】
2021501529.tif 000010
【図８】
2021501529.tif 000011
【図９】
2021501529.tif 000012
【図１０】
2021501529.tif 000013
【図１１】
2021501529.tif 000014
【図１２】
2021501529.tif 000015
【図１３】
2021501529.tif 000016
【図１４】
2021501529.tif 000017
【手続補正書】
【提出日】令和2年4月30日(2020.4.30)
【手続補正１】
【補正対象書類名】図面
【補正対象項目名】図３
【補正方法】変更
【補正の内容】
【図３】
2021501529.tif 000018
【国際調査報告】
2021501529.tif 000019
2021501529.tif 000020
2021501529.tif 000021
2021501529.tif 000022